(57)【特許請求の範囲】
【請求項１】
遊技球発射における発射ミス球回収樋と、上皿を開放したときに落ちこぼれる球を受けるこぼれ球回収樋と、上皿に排出された遊技球の球抜き回収樋と、上皿が獲得遊技球で満ちた場合における溢れ球回収樋とが集合し裏面が開放されて形成される集合樋本体と、並びにこれに結合してその裏面を封じる裏蓋とからなり、集合樋本体と裏蓋とがそれぞれマグネシウム合金により一体成形してなる集合樋であって、さらに、集合樋本体の一体成形の構造については、発射ミス球回収樋と球抜き回収樋とが下方向へ合流してなる排出口と、こぼれ球回収樋と溢れ球回収樋とが横方向へ合流してなる排出口とをそれぞれ前面開口において併設し、発射ミス球回収樋と球抜き回収樋とが合流した排出口にその口側に傾斜する棚状の障碍を形成し、こぼれ球回収樋と溢れ球回収樋とが合流した排出口には簀子状の障碍を形成し、加えて、集合樋本体には、遊技盤枠の下部に脱着自在に取り付け得るように構成した結合部を設けたことを特徴とするパチンコ機の集合樋。
【発明の詳細な説明】
【０００１】
【産業上の利用分野】
この発明は、発射ミス球やこぼれ球等を下皿に排出するために遊技盤枠に取り付けるようにしたパチンコ機の集合樋に関する。
【０００２】
【従来の技術】
パチンコ機においては（従来例を示す図５参照）、打撃槌６０により打たれた遊技球は、円弧形の発射レール６２に案内されて遊技盤６４の上端に達すると、そこから遊技盤とガラス板との間の釘間を落下し、入賞しないと、下端の口６６から裏側に排出され、裏側にパチンコ機の配列に沿って配置されている回収樋に落下して店側に回収され、再度各パチンコ機に賞球や貸球として配分される。一方、遊技客に回収される球としては、発射ミス球、こぼれ球、球抜き球、溢れ球等があり、これらが最終的に下皿６８に集合される。
【０００３】
発射ミス球は、正常に遊技盤に届かなく、発射レール６２に沿って戻ってきた球のことで、発射台７０と発射レール６２との間の隙間７２から落下するので、その受け皿７４付きの樋７３が設けられる。また、こぼれ球は、店員が上皿６７を開いたときに（図５がその開き状態を示す）、上皿の奥に残っていたパチンコ球がこぼれ落ちるので、これも同じ受け皿７４に落下する。そして、受け皿の下方に通じて下皿６８への排出口７６が設けられる。
【０００４】
また、球抜き球は、遊技を終了したとき等に、上皿６７に残っているパチンコ球を、上皿に付いている球抜きボタン７８を押して下皿６８に移動させる球のことであり、８０，８２がその球抜き口である。また、溢れ球は、大当たり等のときに、上皿６７の許容量を超えたパチンコ球が、一旦裏側に排出され溢れ球通過孔８５を通して排出口７６に排出され、下皿６８に返される球である。
【０００５】
【発明が解決しようとする課題】
上記のような従来のパチンコ機においては、下皿６８から発射台７０と発射レール６２との間の隙間７２へ直に通じているので、下皿６８からピアノ線やセル板等をその隙間７２に通し（図５に矢印参照）、遊技盤６４に至らせ、下端部の入賞部８４を開く等の不正使用がなされることがあった。
【０００６】
その手口としては、隙間７２から発射レール６２とそれと平行に湾曲する遊技規制レール６３との間を通すルートＲａと、遊技規制レール６３とガラス板との間の僅かの隙間があるので、直に上に通るルートＲｂとがある。
【０００７】
また、従来の集合樋及びパチンコ機本体並びにパチンコ機の各部品は、プラスチック製であったから、帯電に伴うスパークが生じると、パチンコ機を制御しているコンピュータを狂わせ、誤作動を生じるという問題もあり、殊に、樋をまとめて大きく成形してあると、帯電量も多くなり、例えば下皿の球を取出した時に手で触れるとスパークし、不快感を感じるなど問題があった。
【０００８】
さらに、パチンコ機に対する取付けについては、従来は、枠の機構部分と一体成形であったため、集合樋単体で取付け・取外しはできず、例えば集合樋のみを改良して取替えたいとしても、非常に不便であった。また、組込み型であったため、分解しにくく、掃除もすることができないという欠点があった。さらに、排出口が一つで大きめに作ってあるため、不正工作もされ易かった。
【０００９】
この発明は、上記のような実情に鑑みて、ピアノ線やセル板等を遊技盤に到達させる不正使用が困難となり、また、取付けが容易となりパチンコ機を組み立てる工程が簡易になり、しかも、パチンコ機に狂いが生じる原因を解消できると共に帯電防止となるパチンコ機の集合樋を提供することを目的とした。
【００１０】
【課題を解決するための手段】
上記の目的を達成するために、この発明の集合樋は、遊技球発射における発射ミス球回収樋と、上皿を開放したときに落ちこぼれる球を受けるこぼれ球回収樋と、上皿に排出された遊技球の球抜き回収樋と、上皿が獲得遊技球で満ちた場合における溢れ球回収樋とが集合し裏面が開放されて形成される集合樋本体と、並びにこれに結合してその裏面を封じる裏蓋とからなり、集合樋本体と裏蓋とがそれぞれマグネシウム合金により一体成形してなる集合樋であって、さらに、集合樋本体の一体成形の構造については、発射ミス球回収樋と球抜き回収樋とが下方向へ合流してなる排出口と、こぼれ球回収樋と溢れ球回収樋とが横方向へ合流してなる排出口とをそれぞれ前面開口において併設し、発射ミス球回収樋と球抜き回収樋とが合流した排出口にその口側に傾斜する棚状の障碍を形成し、こぼれ球回収樋と溢れ球回収樋とが合流した排出口には簀子状の障碍を形成し、加えて、集合樋本体には、遊技盤枠の下部に脱着自在に取り付け得るように構成した結合部を設けたことを特徴とする。
【００１１】
上記の構成によれば、多くの樋が集合し、しかも、下皿への排出口が二つで従来より小さく構成されるので、ピアノ線やセル板等を所定の箇所に進入させる経路が煩雑に感じられる。しかも、両排出口にピアノ線等を通したとしても、棚状や簀子状のそれぞれの障碍により導入が困難となるため、不正使用が有効に防止される。
【００１２】
また、マグネシウム合金での成形であるので、コンピュータの誤作動の原因としての帯電を防止できることはもちろん、集合樋本体と裏板との両方が正確に結合させうる成形が可能である。しかも、パチンコ機に対してはねじ等の工具を用いることなく、部品点数が少なくなる。
【００１３】
ちなみに、マグネシウム合金製であると、コンピュータ制御に誤作動を招く静電気の発生を防止できる他、主な成分がＭｇであって、Ｍｇの比重が１．８（Ａｌが２．７、Ｆｅが７．８）であるため、非常に軽量でり、また、機械的性質も優れており、しかも、プラスチック製品とほとんど変わらない複雑な形状のものを作ることもできる等の利点を有する。
【００１４】
【発明の効果】
以上説明したように、この発明のパチンコ機の集合樋によれば、下皿へ至る各樋が集合され、迷路のように複雑となるだけでなく、不正操作を制限する棚状の障碍や簀子状の障碍を設けたから、排出口からピアノ線やセル板等を挿入して遊技盤に至らせる不正使用が困難となり、また、改良や改善が容易で、取替えも実に簡単である。さらに、正確に成形できるだけでなく、コンピュータの誤作動の原因となる帯電が防止されるために、パチンコ機のトラブルが少なくなり、さらに、排出口が二つであるので、下皿への球の排出がスムーズになるという優れた効果がある。
【００１５】
【実施例】
次に、この発明の実施例を図面に基づいて説明する。
【００１６】
図面は、一実施例を示したもので、パチンコ機は、マグネシウム合金製の遊技盤枠Ｆの下端部に集合樋Ｓを取り付けたもので（図４）、集合樋Ｓは型内に充填固化（成形材料としてはマグネシウム合金、合成樹脂等）により一体成形された本体Ｓａと裏蓋Ｓｂとから組み立てられる（図２，図３）。また、遊技盤枠Ｆには上皿５と下皿６とが装備され、上皿５が左に開閉されるように軸支される（図５参照）。なお、図示しないが、遊技盤枠Ｆには、遊技盤が嵌め込まれる他、ガラス枠と飾り縁が開閉可能に軸支される。
【００１７】
集合樋Ｓは、右の発射ミス球回収樋１と、左のこぼれ球回収樋２とを隣接して幅中央に設け、上端にそれぞれ受け皿８，９を有する。さらに球抜き回収樋３を右端に、溢れ球回収樋４を左側に設け、こぼれ球回収樋２および溢れ球回収樋４が下端で合流した排出口１２と、発射ミス球回収樋１と球抜き回収樋３とが合流した排出口１１とが下端に併設される。そして、これからの各樋１，２，３，４の通路が主に集合樋本体Ｓａにおいて形成されている（図３）。なお、図１において、一点鎖線が球の落下経路を、二点鎖線がピアノ線やセル板等の進入経路を示す。
【００１８】
集合樋本体Ｓａにおいて、発射ミス球回収樋１とこぼれ球回収樋２とは中央の縦壁１３を間にして形成されたもので、それぞれに返し１６，１７を設けるとともに、逆止弁１８，１９が設けられる。
【００１９】
そのうち、発射ミス球回収樋１は、受け皿８が中央側に傾斜して縦壁１３に沿って落ちる落下口２１を有し、落下口２１の上に縦壁１３と並列する垂下壁２３を設けて上に凹となる返し１６が形成される。また、中途で反転する形状によって、球抜き回収樋３との共通路１５に開口し、その開口に逆止弁１８が軸支される。この逆止弁１８の取付けのために、集合樋本体Ｓａと裏蓋Ｓｂとに軸２５，２５が突設される。また、集合樋本体Ｓａには、軸受け保護室２７を設け、そこに逆止弁１８の開きストッパー２９が形成されている。また、共通路１５への開口の下端に逆止弁１８の下端を閉じに止める段状停止部３１が形成されている。
【００２０】
こぼれ球回収樋２は、受け皿９が中央へ傾斜し、縦壁１３を一片として落下口３３を有し、その落下口３３の他片３５を垂下させて、そこに返し１７が形成される。また、こぼれ球回収樋２の形状が「く」字形であって、その屈折下部に逆止弁１９を設け、その軸３７，３７が集合樋本体Ｓａと裏蓋Ｓｂとに突設される。また、集合樋本体Ｓａには、屈折箇所に軸支保護片３９を設ける他、逆止弁１９を閉じに止める段状停止部４１が形成される。
【００２１】
球抜き回収樋３は、集合樋本体Ｓａの前側に受入口４３が開口しており、溢れ球回収樋４は、裏蓋Ｓｂの裏側に受入口４５が開口している。また、ピアノ線やセル板等が引っ掛かるように、発射ミス球回収樋１と球抜き回収樋３とが合流した排出口１１には、その口側に傾斜して棚状の障碍４７が形成され、また、他方の排出口１２には、簀の子状の障碍４８が形成される。
【００２２】
集合樋本体Ｓａと裏蓋Ｓｂとの組合せについては、裏蓋Ｓｂを遊技盤枠Ｆの下端部と集合樋本体Ｓａとではさみ込んで取り付けるが、集合樋本体Ｓａと裏蓋Ｓｂとを仮組みしてから取り付ける方法でも良く、組み順を特に問うものではない。この時、集合樋本体Ｓａには位置決め穴４９，４９、及び裏蓋Ｓｂにも位置決め穴５１，５１が穿設されており、且つ、遊技盤枠Ｆから位置決めボスが出ており、それらの穴にはまり込み、位置決めされる。
【００２３】
遊技盤枠Ｆに対する取付けについては、集合樋本体Ｓａの両側面に取付アーム５３，５３を突設し、取付アーム５３，５３の先端に逆止爪５５，５５が形成される。また、遊技盤枠Ｆには、逆止爪５５，５５が引っ掛かる掛止穴５７，５７を設けてあるので、取付アーム５３，５３の弾性変形を伴わせて、その掛止穴５７，５７に逆止爪５５，５５を迅速且つ容易に引っ掛けることができる。なお、図示は省略するが、集合体本体Ｓａの下側面にも取付アーム５３を突設し逆止爪５５が形成されたものと、遊技盤面枠Ｆには逆止爪５５が引っ掛かる掛止穴５７を設けると、さらに掛止効果が上がる。
【図面の簡単な説明】
【図１】  この発明によるパチンコ機の集合樋の正面図である。
【図２】  同集合樋を前側から見た分解斜視図である。
【図３】  同集合樋を裏側から見た分解斜視図である。
【図４】  同集合樋をパチンコ機の遊技盤枠に取り付けた状態を示す正面図である。
【図５】  従来例を示すパチンコ機の概略図である。
【符号の説明】
Ｆ  遊技盤枠
Ｓ  パチンコ機の集合樋
Ｓａ  集合樋本体
Ｓｂ  裏蓋
１  発射ミス球回収樋
２  こぼれ球回収樋
３  球抜き回収樋
４  溢れ球回収樋
５  上皿
６  下皿
１１，１２  排出口
４７，４８  障碍
５３および５５  結合部を構成する取付アームおよび逆止爪
【図１】
0003717667.tif 000002
【図２】
0003717667.tif 000003
【図３】
0003717667.tif 000004
【図４】
0003717667.tif 000005
【図５】
0003717667.tif 000006